【事件の表示】
　特願２０００−　　７１７３「オーディオビジュアル装置及びシステム」拒絶査定不服審判事件〔平成１２年　９月１４日出願公開、特開２０００−２５３３７７〕について、次のとおり審決する。
【結　論】
　本件審判の請求は、成り立たない。
【理　由】
第１．手続の経緯
　本願は、平成１２年１月１４日（パリ条約による優先権主張１９９９年２月１日、アメリカ合衆国）の出願であって、原審において、平成１５年１２月１１日付けで拒絶理由が通知され、平成１６年２月５日付けで手続補正がなされたところ、同年６月７日付けで拒絶査定がなされた。
　これに対して、平成１６年７月１２日に拒絶査定に対する審判請求がなされるとともに、同年８月５日付けで手続補正がなされたものである。
　
第２．平成１６年８月５日付けの手続補正についての補正却下の決定
［補正却下の決定の結論］
　平成１６年８月５日付けの手続補正を却下する。
［理由］
１．補正の内容
　平成１６年８月５日付けの手続補正（以下「本件補正」という。）は、平成１６年２月５日付けでなされた手続補正による明細書の特許請求の範囲の請求項１について、「少なくとも１コンテンツ或いはコンテンツ中のシーン又はフレームを選択する選択手段」を「少なくともコンテンツ中のシーン又はフレームを選択する選択手段」と補正（補正事項１）すると共に、明細書の段落【０００６】について、同様に「少なくとも１コンテンツ或いはコンテンツ中のシーン又はフレームを選択する選択手段」を「少なくともコンテンツ中のシーン又はフレームを選択する選択手段」と補正（補正事項２）をするものである。
　
２．補正の適合性
（１）特許法第１７条の２第４項（補正の目的）について
　上記補正事項１は、本件補正前の請求項１の構成要件である「１コンテンツ或いは」を削除することにより、選択手段の選択肢の１つである「１コンテンツ」を削除し、選択手段の取り得る選択肢を「１コンテンツ」、「コンテンツ中のシーン」、「コンテンツ中のフレーム」から、「コンテンツ中のシーン」、「コンテンツ中のフレーム」に減ずるものである。当該補正は、補正前の発明を特定するために必要な事項を限定するものである。
　上記補正事項２は、明細書の記載を補正された請求項１の記載に整合させるための補正である。
　よって、本件補正は、特許法第１７条の２第４項第２号の特許請求の範囲の減縮を目的とするものに該当する。
　
（２）特許法第１７条の２第５項（独立特許要件）について
　本件補正後の発明が特許出願の際独立して特許を受けることができるものであるかについて以下に検討する。
　
（２−１）本件補正後の請求項１に係る発明
　本件補正後の請求項１に係る発明（以下、「本願補正発明」という。）は、以下に記載した事項により特定されるとおりのものと認める。
　
「オーディオ、画像、複数のフレームを含む動画、のうちの少なくとも１つを取り扱うオーディオビジュアルシステムを使用するオーディオビジュアル装置であって、
　放送テレビ、ケーブルテレビ、衛星テレビ、ディジタルテレビ、インターネット放送、ワールドワイドウェブ、ディジタル動画ディスク、ビデオカメラ、レーザーディスク、磁気媒体、コンピュータのハードドライブ、動画テープ、データサービス、マイクロウェーブ通信、のうちの少なくとも１つから、プログラムを受信するプログラム受信手段と、
　該プログラム受信手段で受信したプログラムに基づいて、ユーザ記述スキーム及びシステム記述スキームのうちの少なくとも一方の記述スキームと、プログラム記述スキームと、を発生する若しくは受信する記述スキーム発生手段と、
　該記述スキーム発生手段で発生若しくは受信した各記述スキームを記憶する記述スキーム記憶手段と、
　該記述スキーム記憶手段によって記憶されている各記述スキームに基づいて、動画、画像、オーディオのコンテンツの中から、少なくともコンテンツ中のシーン又はフレームを選択する選択手段と、
を備え、
　前記プログラム記述スキームは、前記複数のフレーム間の相互関係、前記複数のフレームのコンテンツの特徴、前記オーディオのコンテンツの特徴、前記画像のコンテンツの特徴、前記動画のコンテンツの特徴、に関する情報のうちの少なくとも１つに関連する情報を含み、
　前記ユーザ記述スキームは、ユーザの個人的な好み、前記ユーザに関する情報、ユーザの視聴履歴、のうちの少なくとも１つに関する情報を含み、
　前記システム記述スキームは、利用可能な動画、利用可能なカテゴリ、利用可能なチャネル、利用可能なユーザ、利用可能な画像、前記オーディオと前記画像と前記動画のうちの前記少なくとも１つをユーザに提供するためのデバイスのケーパビリティ、前記動画と前記プログラム記述スキームと前記ユーザ記述スキームのうちの少なくとも２つの間の関係、前記オーディオと前記プログラム記述スキームと前記ユーザ記述スキームのうちの少なくとも２つの間の関係、前記画像と前記プログラム記述スキームと前記ユーザ記述スキームのうちの少なくとも２つの間の関係、のうちの少なくとも１つに関する情報を含むことを特徴とするオーディオビジュアル装置。」
　
（２−２）引用文献
　原査定の拒絶の理由に引用された欧州特許出願公開第８５４６４５号明細書（１９９８年７月２２日公開、以下「引用文献１」という。）は、「Electronic television program guide system and method（電子テレビジョンプログラムガイド装置および方法）」に関するものであって、その明細書には図面と共に次の事項が記載されている。
　ア．「According to one embodiment of the present invention, an electronic programming guide operates on a computing platform that is associated with a television. The platform accesses a program listing database containing program listing information for a plurality of television programs. The electronic programming guide includes a profile database that stores a viewer profile and a suggest module that is coupled to the profile database. The suggest module accesses the viewer profile and the program listing information and, in response, generates a preferred schedule according to the viewer profile and the program listing information. The preferred schedule indicates the desirability of a particular program relative to other programs.（本発明の一実施例によれば、電子プログラムガイドはテレビに連動した計算プラットフォームで作動する。このプラットフォームは複数のテレビプログラムに対するプログラムリスト情報を含むプログラムリストデータベースにアクセスし、電子プログラムガイドは視聴者プロフィルを記憶したプロフィルデータベースおよびこのプロフィルデータベースに結合されたサジェストモジュールを含む。このサジェストモジュールは視聴者プロフィルおよびプログラムリスト情報にアクセスし、これに応答し、視聴者のプロフィルおよびプログラムリスト情報に従った好ましいスケジュールを発生する。この好ましいスケジュールは他のプログラムに対する特定プログラムの好ましさを表示する。）」（明細書第２頁第２欄１３〜２６行）
　イ．「FIGURE 1 illustrates a JAVA-enabled television system 2 that includes a JAVA-enabled television receiver 10 that is associated with a television or other suitable display device 40 and a recorder 20, such as a video cassette recorder (VCR), video disk recorder, or other recording device suitable to record video and audio television signals.（図１は、ＪＡＶＡイネーブルされたテレビ受信機１０を含むＪＡＶＡイネーブルされたテレビシステム２を示し、テレビ受信機１０はテレビその他の適当なディスプレイ装置４０および記録装置２０、例えばビデオテープ記録装置（ＶＴＲ）、ビデオディスク記録装置、またはビデオおよびオーディオテレビ信号を記録するのに適したその他の記録装置に連動している。）」（明細書第３頁第３欄３３〜３９行）
　ウ．「Link 14 may be any dedicated or switched connection to a public switch telephone network (PSTN), an integrated services digital network (ISDN), a coaxial cable network, a satellite or microwave link, or any other wireless or wireline communications link suitable to couple platform 12 to the Internet. Although the Internet is discussed, the present invention contemplates any global, regional, local, or other suitable computer network coupled to platform 12. Database server 46 coupled to the Internet accesses program listing database 48, which contains television programming information that is periodically updated according to the operation of an organization associated in some manner with server 46 and database 48.In one embodiment, database 48 contains program listing information 6 for each program available for viewing within the next day, week, month, or other specified period from television signal source 26, which may be any suitable cable television system (CATV), direct broadcast satellite system (DBS), regular satellite broadcast system, conventional television broadcast system, or other suitable system for providing television signals to receiver 10.
 For each program for which database 48 has listing information, program listing information 6 may include, without limitation: program dates; start times; stop times; a program length; program channels; program genres; a list of actors for the program; a list of sports teams to which the program may relate in some manner; keywords associated with the program that describe the program in some manner; a synopsis of the program; whether the program is a rerun, premiere, finale, miniseries, movie, special, or any other type of program; whether the program is a closed-captioned program; whether the program is in stereo; a Motion Picture Association of America (MPAA) rating or other rating for the program; content information concerning nudity, adult situations, adult language, violence, or other any other type of content; and any other appropriate program listing information 6. An electronic programming guide (EPG) JAVA applet or application running on platform 12 periodically accesses database 48 using link 14 and server 46 to receive program listing information 6 that allows the EPG applet or application to provide television-related functionalities to viewers associated with receiver 10 and television 40, as discussed more fully below with reference to FIGURE 3. Although database 48 is discussed, the present invention contemplates a suitable database integral to receiver 10 and periodically updated by one or more service providers external to receiver 10 using link 14, for example, daily, weekly, or on any other periodic basis, to include program listing information 6 accessible to platform 12.
 Receiver 10 includes one or more tuner/decoders 24 that couple to platform 12 using tuner/decoder control line 22 and receive television signals from source 26, either directly or through recorder 20.
（リンク１４は公衆交換電話ネットワーク（ＰＳＴＮ）、統合サービスデジタルネットワーク（ＩＳＤＮ）、同軸ケーブルネットワーク、衛星またはマイクロウェーブリンク、またはプラットフォーム１２をインターネットに結合するのに適した、他の任意の無線または有線通信リンクへの専用または交換接続装置とすることができる。インターネットについて述べたが、本発明はプラットフォーム１２に結合された任意のグローバルな、地域的な、地方の、または他の適当なコンピュータネットワークを可能にするものである。インターネットに結合されたデータベースサーバー４６は、サーバー４６およびデータベース４８に何らかの方法で連動する組織の作動に従って周期的に更新されるテレビプログラム情報を含むプログラムリストデータベース４８にアクセスする。一実施例ではデータベース４８はテレビ信号ソース２６からの、翌日、翌週、翌月または他の指定された時間内に見ることができる各プログラムのためのプログラムリスト情報６を含み、テレビ信号ソース２６を任意の適当なケーブルテレビシステム（ＣＡＴＶ）、直接放送衛星システム（ＤＢＳ）、通常の衛星放送システム、従来のテレビ放送システムまたは受信機１０にテレビ信号を送るための他の適当なシステムとすることができる。
　データベース４８がリスト情報を有するプログラムごとに、プログラムリスト情報６は制限することなく、プログラム日；開始時間；終了時間；プログラム時間；プログラムチャンネル；プログラムジャンル；プログラムの俳優のリスト；プログラムがある程度関連し得るスポーツチームのリスト；プログラムにある程度関連するキーワード；プログラムのあらすじ；プログラムが再放送か；初回放送か；最終回放送か；ミニシリーズか；映画か；特殊なものであるか、すなわちその他のプログラムのタイプ；プログラムがクローズドキャプションプログラムか；プログラムがステレオかどうか；プログラムに対する映画協会（ＭＰＡＡ）のレート付けまたは他のレート付け；猥褻性、アダルト状況、アダルト言語、暴力その他のタイプの内容に関する内容情報；およびその他の適当なプログラムリスト情報６を含むことができる。プラットフォーム１２上で作動する電子プログラムガイド（ＥＰＧ）のＪＡＶＡアプレットまたはアプリケーションは、リンク１４およびサーバー４６を使ってデータベース４８に周期的にアクセスし、図３を参照して後により詳細に説明するように、受信機１０およびテレビ４０に関連した視聴者にテレビ関連機能をＥＰＧアプレットまたはアプリケーションが提供できるようにするプログラムリスト情報６を受信する。データベース４８について述べたが、本発明は受信機１０に一体化され、プラットフォーム１２にアクセス可能なプログラムリスト情報６を含むよう、例えば毎日、毎週またはその他の周期でリンク１４を使って受信機１０の外部の１つ以上のサービスプロバイダによって周期的に更新される適当なデータベースを提供するものである。
　受信機１０は１つ以上のチューナー／デコーダ２４を含み、これらデコーダはチューナー／デコーダ制御ライン２２を使ってプラットフォーム１２に結合し、直接または記録装置２０を介してソース２６からのテレビ信号を受信するようになっている。）」（明細書第３頁第４欄９行〜第４頁第５欄６行）
　エ．「Profile module 74 receives preference information from one or more viewers associated with receiver 10, such as multiple viewers within a family that owns JAVA-enabled television system 2, and constructs, builds, or otherwise generates corresponding viewer profiles 84 for storage in profile database 80. The present invention contemplates each viewer having a separate viewer profile 84, one or more viewers, such as children, having a combined viewer profile 84, or any other suitable arrangement with respect to viewer profiles 84. Furthermore, one or more viewer profiles 84 may be added, deleted, modified, inactivated, reactivated, or otherwise manipulated at any time according to operation of EPG 70. Profile database 80 may include one or more databases, files, lists, or other arrangement of information at one or more locations that are integral to or separate from receiver 10.（プロフィルモジュール７４は受信機１０に関連した一人以上の視聴者、例えばＪＡＶＡイネーブルテレビシステム２を所有する家族内の多数の視聴者からの好み情報を受信し、プロフィルデータベース８０内に記憶するための対応する視聴者プロフィル８４を構築または発生する。本発明は別個の視聴者プロフィル８４を有する各視聴者、組み合わされた視聴者プロフィル８４を有する例えば子供のような一人以上の視聴者、または他の適当な視聴者プロフィル８４に対する適当な配置を意図するものである。更にＥＰＧ７０の作動に従い、任意の時に一人以上の視聴者プロフィル８４を追加し、削除し、変更し、不作動とし、作動し直し、または操作することが可能である。プロフィルデータベース８０は受信機１０に一体的な、または別個の１つ以上の位置において１つ以上のデータベース、ファイル、リストまたは他の配置を含むことができる。）」（明細書第６頁第１０欄５６行〜第７頁第１１欄１４行）
　オ．「Suggest module 76 accesses program listing information 6 in database 48, directly or using control module 72, and viewer profiles 84 in profile database 80 to generate a preferred programming schedule that allows viewers to more intelligently select programs that may be desirable for viewing or recording.（サジェストモジュール７６は直接または制御モジュール７２を使ってデータベース４８内のプログラムリスト情報６にアクセスすると共にプロフィルデータベース８０内の視聴者プロフィル８６にアクセスし、視聴または記録に好ましいプログラムを視聴者がよりインテリジェントに選択できるようにする好ましいプログラムスケジュールを発生する。）」（明細書第８頁第１３欄８〜１３行）
　カ．「Using viewer profile 84 and an appropriate scoring algorithm 77, suggest module 76 generates a color coded, numerical, or other scoring indicator 116 for each program for which channel programming 102 and preferred schedule 100 contain programming information. Additional textual or other suitable information concerning the program might be associated with scoring indicator 116. In general, scoring indicator 116 visually indicates to the viewer a degree of desirability likely to be associated with a corresponding program, based on viewer profile 84 for the viewer.（サジェストモジュール７６は視聴者プロフィル８４および適当なスコアリングアルゴリズム７７を使ってチャンネルプログラム１０２および好ましいスケジュール１００がプログラム情報を含む各プログラムに対するカラーコード化された、数値の、またはその他のスコアリングインジケータ１１６を発生する。スケジュールインジケータ１１６に、プログラムに関係する付加的テキスト情報または他の適当な情報を関連付けできる。スコアリングインジケータ１１６は視聴者に対する視聴者プロフィル８４に基づき、対応するプログラムに関係づけされ易い好ましさを視聴者に視覚的に表示する。）」（明細書第８頁第１３欄３９〜４９行）
　
（２−３）対比
　本願補正発明と上記（２−２）の記載から認定される引用文献１に記載された発明（以下「引用発明１」という。）とを以下に対比する。
（ａ）オーディオビジュアル装置
　引用発明１は、テレビ受信機を含むＪＡＶＡイネーブルされたテレビシステムとして構成され、オーディオビデオ信号を視聴または記録するものであり（記載事項ア、イ）、ビデオ信号（動画）を取り扱う装置であることから、本願補正発明でいう「オーディオ、画像、複数のフレームを含む動画、のうちの少なくとも１つを取り扱うオーディオビジュアルシステムを使用するオーディオビジュアル装置」のうちの「複数のフレームを含む動画を取り扱うオーディオビジュアルシステムを使用するオーディオビジュアル装置」といえるものである。
（ｂ）プログラム受信手段
　引用発明１は、ケーブルテレビシステム（ＣＡＴＶ）、直接放送衛星システム（ＤＢＳ）、通常の衛星放送システム、従来のテレビ放送システムなどのテレビ信号ソース２６からのテレビ信号を受信する１つ以上のチューナー／デコーダ２４を有している（記載事項ウ）。
　このチューナー／デコーダ２４は、本願補正発明の「放送テレビ、ケーブルテレビ、衛星テレビ、ディジタルテレビ、インターネット放送、ワールドワイドウェブ、ディジタル動画ディスク、ビデオカメラ、レーザーディスク、磁気媒体、コンピュータのハードドライブ、動画テープ、データサービス、マイクロウェーブ通信、のうちの少なくとも１つから、プログラムを受信するプログラム受信手段」のうちの「放送テレビ、ケーブルテレビ、衛星テレビ、のうちの少なくとも１つから、プログラムを受信するプログラム受信手段」に相当する。
（ｃ）記述スキーム発生手段、記述スキーム記憶手段
（ｃ−１）引用発明１は、公衆交換電話ネットワーク（ＰＳＴＮ）、統合サービスデジタルネットワーク（ＩＳＤＮ）、同軸ケーブルネットワーク、衛星またはマイクロウェーブリンクなどのリンク１４により、テレビプログラム情報（プログラムリスト情報６）を含むプログラムリストデータベース４８にアクセスしプログラムリスト情報６を受信する。さらに、リンク１４を使ってプログラムリスト情報６を周期的に更新する受信機１０に一体化されたデータベースを有する（記載事項ウ）。
　また、視聴者からの好みの情報を受信して視聴者プロフィル８４を構築し、受信機１０と一体化されたプロフィルデータベース８０に記憶する（記載事項エ）。
　すなわち、引用発明１は、「ユーザに関する情報とプログラムに関する情報を受信する手段」、及び「ユーザに関する情報及びプログラムに関する情報を記憶する手段」を有している。
（ｃ−２）本願補正発明は、「プログラム受信手段で受信したプログラムに基づいて、ユーザ記述スキーム及びシステム記述スキームのうちの少なくとも一方の記述スキームと、プログラム記述スキームと、を発生する若しくは受信する記述スキーム発生手段」及び「記述スキーム発生手段で発生若しくは受信した各記述スキームを記憶する記述スキーム記憶手段」を備えるものである。
　この構成の「（各記述スキームを）発生する若しくは受信する」という記載は、「ユーザ記述スキーム」、「システム記述スキーム」及び「プログラム記述スキーム」の中のいずれかの記述スキームが発生するもので、いずれかの記述スキームが受信するものであることを示しているのか、全ての記述スキームが発生するものであり、若しくは全ての記述スキームが受信するものであることを示しているのかなど、各記述スキームとその動作の関係が明確ではないが、明細書の記載（段落【００２５】、【００２７】、【００５４】〜【００５８】、【００７３】）を参照する限り、「ユーザ記述スキーム」、「システム記述スキーム」及び「プログラム記述スキーム」の各々は、それぞれ発生させる場合と受信する場合の実施例が記載されているから、上記「（各記述スキームを）発生する若しくは受信する」という構成は、各記述スキームを発生するものと各記述スキームを受信するものとの組み合わせの全てを含むものと認められる。
　また、同様に「プログラム受信手段で受信したプログラムに基づいて（各記述スキームを）発生する若しくは受信する」と記載されており、この「基づいて」が、プログラムと各記述スキームの発生若しくは受信することとの間にどのような関連性があることを規定しているのかが必ずしも明確ではないが、明細書の記載（段落【００５４】〜【００５８】）を参照すると、プログラム記述スキームを発生する時にプログラム受信手段で受信したプログラムを利用しているものと認められ、本願補正発明の「プログラム受信手段で受信したプログラムに基づいて（各記述スキームを）発生する若しくは受信する」という構成は、プログラム記述スキームを発生する時にのみ、プログラムに基づいて記述スキームを発生するものを示していると認められる。
　ここで、「ユーザ記述スキーム」、「システム記述スキーム」及び「プログラム記述スキーム」とは、本願明細書の段落【０００５】及び平成１６年２月６日付け意見書の記載から、ユーザの好みに関する情報、システムに関する情報、プログラムに関する情報を提供するための「記述子を組み合わせた構造体」または「複数の記述ツール間の構造、意味的関係を規定した枠組み」と認められ、「ユーザに関する情報」、「システムに関する情報」、「プログラムに関する情報」であることには変わりがない。
（ｃ−３）したがって、本願発明と引用発明１は、「ユーザに関する情報とプログラムに関する情報を受信する情報発生手段」及び「情報発生手段で受信した各情報を記憶する情報記憶手段」を備えている点において同様のものと認められる。
　もっとも、引用発明１はそれぞれの情報を「記述スキーム」の形態で記述していない点で本願補正発明と相違する。
（ｄ）選択手段
　引用発明１のサジェストモジュール７６は、データベース４８内のプログラムリスト情報６とプロフィルデータベース８０内の視聴者プロフィル８６にアクセスして、各プログラムの好ましさを示すスコアリングインジケータ１１６を発生し、視聴者に好ましいプログラムを視覚的に表示したプログラムスケジュール１００を発生する（記載事項ア、オ、カ）。
　ここで、「プログラム」は本願補正発明の「動画のコンテンツ」に相当し、「サジェストモジュール」は、データベース内のプログラムリスト情報と視聴者プロフィル８６に基づき、プログラムスケジュールとして表示する視聴者に好ましいプログラムを選択するものであるから、引用発明１は、「情報記憶手段によって記憶されている各情報に基づいて、動画のコンテンツを選択する選択手段」を備えるものといえる。
　ただし、本願補正発明の選択手段は、「少なくともコンテンツ中のシーン又はフレームを選択する」ものであるのに対し、引用発明１の選択手段は「コンテンツを選択する」ものである点で両者は相違する。
（ｅ）プログラムに関する情報、ユーザに関する情報
　引用発明１のプログラムに関する情報は、「プログラム日；開始時間；終了時間；プログラム時間；プログラムチャンネル；プログラムジャンル；プログラムの俳優のリスト；プログラムがある程度関連し得るスポーツチームのリスト；プログラムにある程度関連するキーワード；プログラムのあらすじ；プログラムが再放送か；初回放送か；最終回放送か；ミニシリーズか；映画か；特殊なものであるか；プログラムがクローズドキャプションプログラムか；プログラムがステレオかどうか；プログラムに対する映画協会（ＭＰＡＡ）のレート付けまたは他のレート付け；猥褻性、アダルト状況、アダルト言語、暴力の内容に関する内容情報」を含む（記載事項ウ）。
　また、引用発明１のユーザに関する情報は、「視聴者の好みの情報」を含む（記載事項エ）。
　引用発明１のプログラムに関する情報は、本願補正発明の「動画のコンテンツの特徴」の相当する情報を含むものであり、ユーザに関する情報は、本願補正発明の「ユーザの個人的な好み」に相当する情報を含むものである。
（ｆ）対比対象
　本願補正発明は、「ユーザ記述スキーム及びシステム記述スキームのうちの少なくとも一方の記述スキームと、プログラム記述スキームと、を発生する若しくは受信する記述スキーム発生手段」としており、「ユーザ記述スキーム」と「システム記述スキーム」の一方を構成要件とするもの、両方を構成要件とするものなどを含む発明であり、また、その他にも選択的な構成要件が存在するため、本審決においては「ユーザ記述スキーム」を構成要件とし、選択的な構成要件の幾つかを備えた以下の本願補正発明を対比対象とする。
　
（対比対象とする本願補正発明）
「複数のフレームを含む動画を取り扱うオーディオビジュアルシステムを使用するオーディオビジュアル装置であって、
　放送テレビ、ケーブルテレビ、衛星テレビ、のうちの少なくとも１つから、プログラムを受信するプログラム受信手段と、
　ユーザ記述スキームと、プログラム記述スキームと、を受信する記述スキーム発生手段と、
　該記述スキーム発生手段で受信した各記述スキームを記憶する記述スキーム記憶手段と、
　該記述スキーム記憶手段によって記憶されている各記述スキームに基づいて、動画のコンテンツの中から、コンテンツ中のシーンを選択する選択手段と、
を備え、
　前記プログラム記述スキームは、前記画像のコンテンツの特徴、に関連する情報を含み、
　前記ユーザ記述スキームは、ユーザの個人的な好み、に関する情報を含むオーディオビジュアル装置。」
　
　上記（ａ）〜（ｆ）から、両者は、
「複数のフレームを含む動画を取り扱うオーディオビジュアルシステムを使用するオーディオビジュアル装置であって、
　放送テレビ、ケーブルテレビ、衛星テレビ、のうちの少なくとも１つから、プログラムを受信するプログラム受信手段と、
　ユーザに関する情報と、プログラムに関する情報と、を受信する情報発生手段と、
　該情報発生手段で受信した各情報を記憶する情報記憶手段と、
　該情報記憶手段によって記憶されている各情報に基づいて、動画のコンテンツを選択する選択手段と、
を備え、
　前記プログラムに関する情報は、前記動画のコンテンツの特徴、に関連する情報を含み、
　前記にユーザに関する情報は、ユーザの個人的な好み、に関する情報を含むオーディオビジュアル装置。」
である点で一致し、次の点で相違する。
（相違点１）
　本願補正発明の「ユーザに関する情報」及び「プログラムに関する情報」は、「記述スキーム」の形態で記述されており、「情報発生手段」及び「情報記憶手段」は、それぞれ「記述スキーム発生手段」及び「記述スキーム記憶手段」であるのに対し、引用発明１の「ユーザに関する情報」及び「プログラムに関する情報」は、そのようなものではない点。
（相違点２）
　本願補正発明の選択手段は「（ユーザの好みに対応した）コンテンツ中のシーンを選択する」ものであるのに対し、引用発明１の選択手段は「（ユーザの好みに対応した）コンテンツを選択する」ものである点。
　
（２−４）当審の判断
　上記各相違点につき、以下に検討する。
（相違点１について）
　本願補正発明の「記述スキーム」は、明細書の記載（段落【００８８】〜【００９０】）を参照する限り、その１つの例としてＸＭＬのスキーマ言語のＤＴＤを利用したものである。
　スキーマ言語のＤＴＤ(Document Type Definition)は、ＸＭＬの文書構造を定義するものであり、データの要素や属性の階層構造を定義するものとして周知のものである。
　そして、引用発明１のプログラムの要素及び属性またはユーザの属性などを示す情報に、上記周知のスキーマ言語の技術を適用することは、当業者が容易に想到し得ることであり、本願補正発明の相違点１に係る各情報を「記述スキーム」の形態で記述する構成とすることは、当業者が容易になし得ることといえる。
　
（相違点２について）
　ユーザの好みに応じて、シーンの識別情報に基づいてコンテンツ中のシーンを選択する技術は、特開平１０−１５０６２９号公報（特に、段落【００６０】〜【００６９】等を参照のこと。）、特開平９−２６１６１６号公報（特に、段落【０１０６】〜【０１１０】等を参照のこと。）、特開平９−５５９２０号公報（特に、段落【０００９】、【００１０】、【００１５】、【００１６】等を参照のこと。）に記載されているように周知の技術である。
　そして、引用発明１のユーザの好みに応じてコンテンツを選択するものに、上記周知技術を適用してコンテンツ中のシーンを選択するものとすることは、当業者が容易に想到し得ることといえる。
　
　上記のとおり、本願補正発明の相違点１、２に係る各構成とすることは当業者が容易になし得ることであり、また、これら相違点を総合しても格別のものがあるとはいえない。さらに、本願補正発明の効果も、引用文献１の記載及び周知技術から予測することができる程度のものにすぎない。
　したがって、本願補正発明は、引用文献１に記載された発明及び周知技術に基づいて、当業者が容易に発明をすることができたものであるから、特許法第２９条第２項の規定により特許出願の際独立して特許を受けることができないものである。
　
（２−５）むすび
　以上のとおり、本件補正は、特許法第１７条の２第５項において準用する同法第１２６条５項の規定に違反するので、特許法第１５９条第１項において読み替えて準用する同法第５３条第１項の規定により却下すべきものである。
　
第３．本願発明について
１．本願発明
　平成１６年８月５日付けの手続補正は上記のとおり却下されたので、本願発明は、平成１６年２月５日付け手続補正書により補正された明細書の特許請求の範囲の請求項１ないし１６に記載された事項により特定されるものであるところ、その請求項１に係る発明（以下、「本願発明」という。）は、以下に記載した事項により特定されるとおりのものと認める。
　
「オーディオ、画像、複数のフレームを含む動画、のうちの少なくとも１つを取り扱うオーディオビジュアルシステムを使用するオーディオビジュアル装置であって、
　放送テレビ、ケーブルテレビ、衛星テレビ、ディジタルテレビ、インターネット放送、ワールドワイドウェブ、ディジタル動画ディスク、ビデオカメラ、レーザーディスク、磁気媒体、コンピュータのハードドライブ、動画テープ、データサービス、マイクロウェーブ通信、のうちの少なくとも１つから、プログラムを受信するプログラム受信手段と、
　該プログラム受信手段で受信したプログラムに基づいて、ユーザ記述スキーム及びシステム記述スキームのうちの少なくとも一方の記述スキームと、プログラム記述スキームと、を発生する若しくは受信する記述スキーム発生手段と、
　該記述スキーム発生手段で発生若しくは受信した各記述スキームを記憶する記述スキーム記憶手段と、
　該記述スキーム記憶手段によって記憶されている各記述スキームに基づいて、動画、画像、オーディオのコンテンツの中から、少なくとも１コンテンツ或いはコンテンツ中のシーン又はフレームを選択する選択手段と、
を備え、
　前記プログラム記述スキームは、前記複数のフレーム間の相互関係、前記複数のフレームのコンテンツの特徴、前記オーディオのコンテンツの特徴、前記画像のコンテンツの特徴、前記動画のコンテンツの特徴、に関する情報のうちの少なくとも１つに関連する情報を含み、
　前記ユーザ記述スキームは、ユーザの個人的な好み、前記ユーザに関する情報、ユーザの視聴履歴、のうちの少なくとも１つに関する情報を含み、
　前記システム記述スキームは、利用可能な動画、利用可能なカテゴリ、利用可能なチャネル、利用可能なユーザ、利用可能な画像、前記オーディオと前記画像と前記動画のうちの前記少なくとも１つをユーザに提供するためのデバイスのケーパビリティ、前記動画と前記プログラム記述スキームと前記ユーザ記述スキームのうちの少なくとも２つの間の関係、前記オーディオと前記プログラム記述スキームと前記ユーザ記述スキームのうちの少なくとも２つの間の関係、前記画像と前記プログラム記述スキームと前記ユーザ記述スキームのうちの少なくとも２つの間の関係、のうちの少なくとも１つに関する情報を含むことを特徴とするオーディオビジュアル装置。」
　
２．引用文献
　原査定の拒絶の理由に引用された引用文献１及びその記載事項は、上記第２．２．（２）（２−２）に記載したとおりである。
　
３．対比
　本願発明は、上記第２．で検討した本願補正発明が発明を減縮するために削除した「１コンテンツ」を、選択手段の選択肢として有するものである。
　上記第２．２．（２）（２−３）における対比を参照すると、本願発明と引用発明１は、
「複数のフレームを含む動画を取り扱うオーディオビジュアルシステムを使用するオーディオビジュアル装置であって、
　放送テレビ、ケーブルテレビ、衛星テレビ、のうちの少なくとも１つから、プログラムを受信するプログラム受信手段と、
　ユーザに関する情報とプログラムに関する情報を受信する情報発生手段と、
　該情報発生手段で受信した各情報を記憶する情報記憶手段と、
　該情報記憶手段によって記憶されている各情報に基づいて、動画のコンテンツの中から１コンテンツを選択する選択手段と、
を備え、
　前記プログラムに関する情報は、前記動画のコンテンツの特徴、に関連する情報を含み、
　前記にユーザに関する情報は、ユーザの個人的な好み、に関する情報を含むオーディオビジュアル装置。」
である点で一致し、次の点で相違する。
（相違点）
　本願発明の「ユーザに関する情報」及び「プログラムに関する情報」は、「記述スキーム」の形態で記述されており、「情報発生手段」及び「情報記憶手段」はそれぞれ「記述スキーム発生手段」及び「記述スキーム記憶手段」であるのに対し、引用発明１の「ユーザに関する情報」及び「プログラムに関する情報」は、そのようなものではない点。
　
４．判断
　上記相違点は、上記第２．２．（２−４）で検討したとおり、引用文献１に記載された発明及び周知技術に基づいて、当業者が容易に想到し得るものであり、本願発明の効果も、引用文献１の記載及び周知技術から予測することができる程度のものにすぎない。
　
５．むすび
　以上のとおり、本願の請求項１に係る発明は、引用文献１に記載された発明及び周知技術に基づいて、当業者が容易に発明をすることができたものであるから、特許法第２９条第２項の規定により特許を受けることができない。
　したがって、本願の他の請求項について検討するまでもなく、本願は拒絶されるべきものである。
　よって、結論のとおり審決する。